(57)【要約】      （修正有）【課題】安眠効果を更に高めることができる変形しやすい枕を提供する。【解決手段】枕は、利用者の頭部から頸部を支持する第１支持部１０、第１支持部から傾斜して利用者の肩部を支持する第２支持部２０、及び第２支持部に連続して利用者の胴部（腋から下の部分）を支持する第３支持部３０、を備え、第２支持部が第１及び第３支持部より変形し易い幅方向に連続した複数の溝２１を有する。【選択図】図１
0003231019.tif 000002
【実用新案登録請求の範囲】
【請求項１】
利用者の頭部から頸部を支持する第１支持部、
該第１支持部から傾斜して前記利用者の肩部を支持する第２支持部、及び
該第２支持部に連続して前記利用者の胴部を支持する第３支持部、を備え、
前記第２支持部が前記第１及び第３支持部より変形し易い、枕。
【請求項２】
前記第２支持部には幅方向に連続した複数の溝が形成されている、請求項１に記載の枕。
【請求項３】
前記複数の溝はその深さを同じとして、かつその幅も同じ、ピッチも同じである、請求項２に記載の枕。
【請求項４】
前記第１支持部にも溝が形成され、前記第２支持部に形成された溝は前記第１支持部の溝より深い請求項２又は請求項３に記載の枕。
【請求項５】
前記第２支持部の溝は上下方向に形成されている、請求項１〜４のいずれかに記載の枕。
【考案の詳細な説明】
【技術分野】
【０００１】
本考案は枕に関する。
【背景技術】
【０００２】
一般的に枕は変形可能な材料で形成され、その使用時には人体（頭部など）重さにより変形してその形状を人体に沿わせる。これにより、就寝時の人体に与える抵抗が緩和され、安眠効果が生じることとなる。
更なる安眠効果を得るため、特許文献１に記載の枕ではその硬さを部分的に変化させている。
硬さに変化を与える方策として、その表面に溝を設けた枕が提案されている（特許文献２〜４）
【先行技術文献】
【特許文献】
【０００３】
【特許文献１】特開２０１９−１１０９６６号公報
【特許文献２】登録実用新案公報第３１５５５１７号公報
【特許文献３】特開２００２−８５２３０号公報
【特許文献４】特許第４１２４４２４号公報
【考案の概要】
【考案が解決しようとする課題】
【０００４】
本考案者は、枕の安眠効果を更に高める枕を求めて鋭意検討を重ねてきた。その結果、下記構成の本考案に想到した。
この考案の第１の局面は次のように規定される。即ち、
利用者の頭部から頸部を支持する第１支持部、
該第１支持部から傾斜して前記利用者の肩部を支持する第２支持部、及び
該第２支持部に連続して前記利用者の胴部（腋から下の部分）を支持する第３支持部、を備え、
前記第２支持部が前記第１及び第３支持部より変形し易い、枕。
【０００５】
枕の使用者（ヒト）の体形、特にその外形は、肩から頭部にかけて大きく変形している。従って、第１の局面に規定の考案のように、肩部を支持する第２支持部を他の部分より変形し易くすることにより、利用者は寝返りなどの就寝姿勢を容易に変化させられる。
【０００６】
ここに変形が容易になるとは、変形に要する押圧力が小さくなるほか、変形できる三次元的な範囲が大きくなることも意味するものとする。
第２支持部の変形を容易にするには、第２支持部の形成材料を他の支持部の形成材料より軟質の材料とする他、後述するようにここに溝を形成する。
【０００７】
この考案の第２の局面は次のように規定される。即ち、
第１の局面に規定の枕において、前記第２支持部には幅方向に連続した複数の溝が形成されている。
このように規定される第２の局面の枕によれば、第２支持部に溝が形成されるので、第２支持部の材料コストが削減されるとともに軽量化も達成できる。
【０００８】
この考案の第３の局面は次のように規定される。即ち、
第２の局面に規定の枕において、前記複数の溝はその深さを同じとして、かつその幅も同じ、ピッチも同じである。
このように規定される第３の局面の枕によれば、第２支持部の全域において均一な変形し易さで使用者の肩を支持できる。
【０００９】
この考案の第４の局面は次のように規定される。即ち、
第１〜第３のいずれかの局面に規定の枕において、第１支持部にも溝が形成され、前記第２支持部に形成された溝は前記第１支持部の溝より深く形成されている。
このように規定される第４の枕によれば、第２支持部の溝が第１支持部の溝より深く形成されているので、第２支持部は、第１支持部に比べて、特に深さ方向へ変形し易すくなる。
【００１０】
この考案の第５の局面は次のように規定される。即ち、
第２〜４のいずれかの局面に規定の枕において、前記溝は上下方向に形成されている。
これにより、第２支持部は溝に垂直な方向、即ち使用者の体軸方向に変形し易くなる。これにより、使用者の就寝時の姿勢変化が容易になる。
【図面の簡単な説明】
【００１１】
【図１】図１はこの考案の実施形態の枕の構成を示す側面図である。
【図２】図２は図１の部分拡大図である。
【考案を実施するための形態】
【００１２】
以下、図１を参照しながら、実施形態の枕について更に詳細に説明をする。
図１に示すように、枕１は３つの支持部１０、２０及び３０を備える。
第１支持部１０は使用者（ヒト）の頭部及び頸部を専ら支持し、第２支持部２０は使用者の肩部を専ら支持し、第３支持部３０は使用者の胴部、即ち腋から下の部分を専ら支持するように設計されている。
第１支持部１０の側面は矩形であって枕１において最も厚く形成されている。第２支持部２０は第１支持部１０から漸次薄くなり、第３支持部３０へ連続する。
【００１３】
この例では、第１支持部１０の厚さは１００ｍｍ、第３支持部３０の先端（図示左端）の厚さは１０ｍｍとして、第２支持部２０とそれに続く第３支持部３０の一部において厚さを漸減させている。この枕の幅は９００ｍｍ（紙面厚さ方向）、長さは（紙面左右方向）は７００ｍｍとした。これら各部のプロポーションは任意に設計可能である。第２支持部２０と第３支持部３０との境界線は使用者の体形に依存する。
【００１４】
この例では、枕１の全体が可撓性のある材料で形成されている。ここに、可撓性とは押圧力に対して変形し、かつこの押圧力が消滅したときには元の形に戻ることをいう。なお、押圧力に応じた反発力を生じてもよいし、押圧力にかかわらずほぼ一定の反発力を生じてもよい。
かかる可撓性の材料としてウレタンフォームなどを用いることできる。
図１の例では、全体を同一の材料で一体的に形成しているが、各支持部を異なる材料で形成することもできる。また、各支持部を別体として枕カバーなどで連結することもできる。
【００１５】
第１支持部１０には頭部支持領域１０１と頸部支持領域１０３とが備えられる。これら領域１０１、１０３の境界は使用者の体格に依存する。
頭部支持領域１０１には第１の溝１１と第２の溝１３が形成されている。これらの溝は枕１の幅方向に連続して形成されている。図１に示されるように、これらの溝１１、１２は、全て、先細りとなるように深さ方向にその幅を漸減させている。可撓性の材料からなる頭部支持領域１０１では、頭部の重みに対してその表面側ほど大きく変形しやすい。このように、各溝１１、１３の幅を深くなるにつれ狭くすることにより、全体が均等に閉塞されやすくなる。
【００１６】
これらの溝１１、１２は使用者の頸部から頭頂方向に向けて傾斜している。換言すれば、各溝１１、１３の傾斜方向は頸部支持領域１０３から離れるにつれてその先端底部が持ち上がる方向である。各溝１１、１３を傾斜させることにより、頭部の重さのベクトルが溝を閉塞する方向に働く。
【００１７】
なお、溝１１、１３の傾斜方向が頸部支持領域１０３側に向いていると、図１において符号１１ａで示す第１の溝が頸部支持領域１０３の下側に回りこむこととなり好ましくない。頸部は軽いのでこの溝を十分に閉塞することができず、溝の形成が無駄になりかねないからである。
【００１８】
図１に示すように、頭部支持領域１０１において、頸部支持領域１０３側から第１の溝１１と第２の溝１３とを交互に配置している。これにより、頭部支持領域１０１が頭部に沿って変形しやすくなる。頭部を乗せたとき、深い溝１１の壁は大きく沈み込む一方、浅い溝１３の壁の沈み込みは浅いので、そこに曲面が形成されやすくなるからである。頭頂端縁側（図示右端側）において第２の溝１３が連続して配置されている。かかる端側まで頭部がかかることが稀な一方、端部の剛性を強くすることが好ましいためである。
【００１９】
この例では、第１の溝１１と第２の溝１３のピッチを均一にしているが、各溝のピッチに変化を持たせることができる。
この例では、第１の溝１１と第２の溝１３の開口部の幅を均一としているが、第１の溝１１と第２の溝１３とでその開口幅を変化させてもよい。更には、第１の溝１１どうし、及び第２の溝１３どうしでその開口幅に変化をもたせてもよい。
この例では、第２の溝１３の深さを第１の溝１１の深さの約半分としているが、この深さの差も任意に設計できる。
【００２０】
図２は、頭部支持領域１０１と頸部支持領域１０３との境界領域の拡大図である。
頸部支持領域１０３に近接して設置される第１の溝１１ａにおいて、頸部支持領域１０３に連続する斜面１１１ｔの上縁側に傾斜面１１１ｕが形成される。これにより、傾斜面１１１ｕに対して対向する部分（斜面１１１ｓの上縁部分）の変形が促進され、もって、使用者が就寝時にその頭部を動かしても、その動きに追従して頭部支持領域１０１が変形し易くなる。
【００２１】
図２において、第１の溝１１ａ、１１ｂにおける外側（頭頂側）の斜面１１１ｓと第２の溝１３の同じく外側の斜面１１３ｓは平行に形成される。第１の溝１１ｂと第２の溝１３の開口幅は同じとした。その結果、第１の溝１１ｂの頸部保持領域側の斜面１１１ｔと第２の溝１３の頸部保持領域側の斜面１１３ｔとでその傾斜角度が異なることとなる。
頭部が乗せられたとき、外側の傾斜面１１１ｓと１１３ｓとが内側の傾斜面１１１ｔと１１３ｔに向かって倒れ込む。各溝において、大きく変形する側の傾斜面の傾斜角度を均一にすることで、頭部に対する反発力が均一化される。
【００２２】
図１に戻り、第２支持部２０には、深さが揃えられた即ち底部の高さを同一とした、、同一幅の第３の溝２１が同一ピッチで形成されている。この第３の溝２１の深さは、第１の溝１１及び第２の溝１３より深いものとする。即ち、第３の溝２１の底部の高さは、第１の溝１１及び第２の溝１３の各底部の高さより下にあるものとする。
使用者の肩を支持する第２支持部２０に第３の溝２１を形成することにより、第２支持部２０は、第１支持部１０及び第３支持部３０に比べて変形し易くなる。
【００２３】
このように使用者の肩を専ら支持する第２支持部２０を変形し易くすることにより、容易に使用者は寝返りできるようになる。
就寝中の使用者は図示左右方向に移動することがある。そのとき、頭部を起点にして肩が図示左右方向動くことが多い。よって、第３の溝２１は、図１に示す通り、上下方向に形成して、左右方向への移動抵抗を小さくすることが好ましい。
【００２４】
上記の例では、第２支持部２０を他の支持部１０、３０より変形し易くするため、深さが揃えられた、同一幅の第３の溝２１を同じピッチで上下方向に形成しているが、溝の形状はこれに限定されるものではない。
第３の溝２１の深さ、そのピッチ及び幅は、第２支持部２０の形状や成形材料等に応じて任意に設計できる。
【００２５】
この第３支持部３０はベッドや布団へと連続するため、ここに溝を設けることは好ましくない。
この実施の形態の枕の溝はその全体が閉塞されやすくすることを一つの目的とする。したがって、当該閉塞を阻害するような溝内面の突起や凸条はこれを設けないことが好ましい。
【００２６】
以上、本開示の実施形態及び実施例について説明してきたが、本考案は上記開示の各局面や実施形態（実施例）やその変形例の説明に何ら限定されるものではない。実用新案請求の範囲を逸脱せず、当業者が容易に想到できる範囲で種々の変形態様もこの考案に含まれる。
【符号の説明】
【００２７】
１１ａ、１１ｂ  第１の溝
１３  第２の溝
１０１  頭部支持領域
１０１  領域
１０３  頸部支持領域
１１１ｕ  傾斜面
【図１】
0003231019.tif 000003
【図２】
0003231019.tif 000004